(57)【要約】【課題】  目地プレートの一端部と一方の躯体の床面との間の隙間を塞ぐことができるとともに、地震によって目地部が狭くなった場合には、スムーズに地震による揺れ動きを吸収できるカバー部材及び床用目地装置を提供すること。【解決手段】  一方の躯体に形成された凹所状の目地プレート支持部に一端部が支持され、他方の躯体に他端部が支持され、一方と他方の躯体間の目地部を塞ぐ目地プレートに用いられるカバー部材であって、前記カバー部材は、その上端部に形成された前記目地プレートの一端部と一方の躯体の床面との隙間を塞ぐ隙間閉塞部と、この隙間閉塞部の下部に一体的に設けられ、一方の躯体の目地プレート支持部の壁面に取付けられる板状の取付部と、該取付部の目地プレート側に設けられた反発材からなることを特徴とする。【選択図】  図１
2019070263.tif 000002
【特許請求の範囲】
【請求項１】
一方の躯体に形成された凹所状の目地プレート支持部に一端部が支持され、他方の躯体に他端部が支持され、一方と他方の躯体間の目地部を塞ぐ目地プレートに用いられるカバー部材であって、前記カバー部材は、その上端部に形成された前記目地プレートの一端部と一方の躯体の床面との隙間を塞ぐ隙間閉塞部と、この隙間閉塞部の下部に一体的に設けられ、一方の躯体の目地プレート支持部の壁面に取付けられる板状の取付部と、該取付部の目地プレート側に設けられた反発材からなることを特徴とするカバー部材。
【請求項２】
一方の躯体と他方の躯体間の目地部を塞ぐ床用目地装置において、一方の躯体に形成された凹所状の目地プレート支持部と、他方の躯体に形成され、目地プレートをスライド移動可能に支持する第２の目地プレート支持部と、前記目地プレート支持部に一端部が支持され、前記第２の目地プレート支持部に他端部が支持され、かつ、前記目地部を塞ぐ前記目地プレートと、前記一方の躯体に取り付けられたカバー部材と、前記目地プレートの他端部にヒンジ部材を介して設けられたカバープレートとで構成され、前記カバー部材は、その上端部に形成された前記目地プレートの一端部と一方の躯体の床面との隙間を塞ぐ隙間閉塞部と、この隙間閉塞部の下部に一体的に設けられ、一方の躯体の目地プレート支持部の壁面に取付けられる板状の取付部と、該取付部の目地プレート側に設けられた反発材からなることを特徴とする床用目地装置。
【請求項３】
前記目地プレートの一端部は、目地部側に傾斜する傾斜面が形成されていることを特徴とする請求項２に記載の床用目地装置。
【請求項４】
前記目地プレートの底面には、地震によって目地部が狭くなった際に、目地プレートを上方へ押し上げる押し上げ片を更に備え、前記押し上げ片の高さは目地プレートの高さよりも小さいことを特徴とする請求項２又は請求項３のいずれかに記載の床用目地装置。
【発明の詳細な説明】
【技術分野】
【０００１】
本発明は目地部を介して設けられた躯体の間の目地部を塞ぐ床用目地装置に用いられるカバー部材を用いた床用目地装置に関する。
【背景技術】
【０００２】
従来、目地プレートの後端部（一端部）と一方の躯体に形成された凹所状の後端部支持凹部との間に生じた隙間にスペーサーを設けた床用目地装置が知られている（特許文献１）。
【０００３】
しかしながら、このような床用目地装置では、目地プレートの一端部と一方の躯体の床面との間にスペーサーがあるため、隙間は塞ぐことができるものの、地震によって目地部が狭くなった場合には、スペーサーと目地プレートの一端部が衝突し、スペーサーや目地プレートが破損してしまうという欠点があった。
【先行技術文献】
【特許文献】
【０００４】
【特許文献１】特開２００６−１３２１０８号公報
【発明の概要】
【発明が解決しようとする課題】
【０００５】
本発明は以上のような従来の欠点に鑑み、目地プレートの一端部と一方の躯体の床面との間の隙間を塞ぐことができるとともに、地震によって目地部が狭くなった場合には、スムーズに地震による揺れ動きを吸収できるカバー部材及び床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明のカバー部材は、一方の躯体に形成された凹所状の目地プレート支持部に一端部が支持され、他方の躯体に他端部が支持され、一方と他方の躯体間の目地部を塞ぐ目地プレートに用いられるカバー部材であって、前記カバー部材は、その上端部に形成された前記目地プレートの一端部と一方の躯体の床面との隙間を塞ぐ隙間閉塞部と、この隙間閉塞部の下部に一体的に設けられ、一方の躯体の目地プレート支持部の壁面に取付けられる板状の取付部と、該取付部の目地プレート側に設けられた反発材からなることを特徴とする。
【０００８】
また、本発明の床用目地装置は、一方の躯体と他方の躯体間の目地部を塞ぐ床用目地装置において、一方の躯体に形成された凹所状の目地プレート支持部と、他方の躯体に形成され、目地プレートをスライド移動可能に支持する第２の目地プレート支持部と、前記目地プレート支持部に一端部が支持され、前記第２の目地プレート支持部に他端部が支持され、かつ、前記目地部を塞ぐ前記目地プレートと、前記一方の躯体に取り付けられたカバー部材と、前記目地プレートの他端部にヒンジ部材を介して設けられたカバープレートとで構成され、前記カバー部材は、その上端部に形成された前記目地プレートの一端部と一方の躯体の床面との隙間を塞ぐ隙間閉塞部と、この隙間閉塞部の下部に一体的に設けられ、一方の躯体の目地プレート支持部の壁面に取付けられる板状の取付部と、該取付部の目地プレート側に設けられた反発材からなることを特徴とする。
【発明の効果】
【０００９】
以上の説明から明らかなように、本発明にあっては次に列挙する効果が得られる。
（１）請求項１及び請求項２に記載の各発明においては、正面視略アングル状に形成されており、その上端部には隙間閉塞部が形成されているので、地震によって目地部が狭くなった場合に、隙間閉塞部の底面が目地プレートの上面をスライドすることにより、カバー部材や目地プレート、一方の躯体が破損することなくスムーズに地震による揺れ動きを吸収することができる。
（２）カバー部材には反発材が設けられているので、目地プレートが回動した後、スムーズに通常状態に復帰することができるとともに、目地プレートの角部等がカバー部材に勢いよく衝突してしまうことを防止できる。
（３）目地プレートと一方の躯体の床面との隙間を塞ぐことができるので、この隙間にハイヒールのヒール等が挟まる、自転車等の車輪が脱輪する、物を隙間に落とす等の事故を確実に防止することができる。
（４）請求項３に記載の発明においても、前記（１）〜（３）と同様な効果が得られるとともに、地震によって目地部が狭くなった際に、よりスムーズに目地プレートを回転させることができる。
（５）請求項４に記載の各発明においても、前記（１）〜（４）と同様な効果が得られるとともに、地震によって目地部が狭くなった際に、略水平状態を保ったまま目地プレートを上方へ押し上げることができる。
【００１０】
したがって、目地プレートと他方の躯体の床面との段差を少なくすることができる。
【図面の簡単な説明】
【００１１】
図１乃至図８は本発明の第１の実施形態を示す説明図である。
図９乃至図１３は本発明の第２の実施形態を示す説明図である。
【図１】第１の実施形態を示すカバー部材の斜視図。
【図２】図１の２−２線に沿う断面図。
【図３】第１の実施形態を示す床用目地装置の平面図。
【図４】図３の４−４線に沿う断面図。
【図５】目地プレートの説明図。
【図６】地震で目地部が少し狭くなった場合の正面視側からの動作説明図。
【図７】地震で目地部が狭くなった場合の正面視側からの動作説明図。
【図８】地震で目地部が広くなった場合の正面視側からの動作説明図。
【図９】第２の実施形態を示すカバー部材の斜視図。
【図１０】図９の１０−１０線に沿う断面図。
【図１１】第２の実施形態を示す床用目地装置の平面図。
【図１２】図１１の１２−１２線に沿う断面図。
【図１３】目地プレートの説明図。
【発明を実施するための形態】
【００１２】
以下、図面に示す本発明を実施するための形態により、本発明を詳細に説明する。
図１乃至図８に示す本発明を実施するための第１の形態において、１は目地部２を介して設けられた一方の躯体３及び他方の躯体４間に設置された床用目地装置５に用いられる目地プレート６の一端部６ａと一方の躯体３の床面３ａとの間の隙間７を塞ぐカバー部材である。
【００１３】
なお、左右方向とは図３（平面視）における左右方向であり、前後方向とは図３における上下方向、上下方向とは図４における上下方向をいう。
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１４】
本実施形態のカバー部材１は、図１及び図２に示すように、正面視略アングルに形成されており、その上端部に設けられた、前記目地プレート６の一端部６ａと一方の躯体３の床面３ａとの隙間７を塞ぐ隙間閉塞部８と、この隙間閉塞部８の下部に一体的に設けられ、前記目地プレート６の一端部６ａに取付けられる板状の取付部９とで構成されている。
【００１５】
カバー部材１は、本実施形態では、例えば図２に示すように、隙間閉塞部８は金属板を折り曲げ加工して形成している。この隙間閉塞部８は、若干斜面状となるような形状に形成する又は目地プレート６の上面と若干隙間を有するように形成してもよい。そのように形成することで、地震によって目地プレートが回動した場合に目地プレート６に干渉せず揺れ動きを吸収することができる。
【００１６】
付言すると、目地プレート６の回動をカバー部材１に用いられる金属板の弾性変形で吸収できる場合には、傾斜や隙間等を設けなくてもよい。
また、この隙間閉塞部８の下方には、板状の取付部９が一体的に形成されている。すなわち、本実施形態ではカバー部材１は、一枚の金属板を折り曲げ加工して隙間閉塞部８及び取付部９を形成している。
【００１７】
ところで、カバー部材１の隙間閉塞部８及び取付部９は本実施形態のように一枚の金属板を折り曲げ加工してもよいが、板状の金属板等を溶接や接着等により略アングル状に形成してもよい。
【００１８】
この取付部９は、一方の躯体３に形成された凹所状の目地プレート支持部１０の側面１０ａと略ぴったりと当接した状態で取り付けられる。
【００１９】
また、取付部９の目地プレート６側（目地プレート支持部１０の側面１０ａと反対側）の側面には本実施形態では樹脂製の反発材２２が設けられている。この反発材２２は上部が弧状となった弓状の形状で、目地プレート６側へ弧状に湾曲している湾曲部の頂点部２２ａ（最も目地プレート側へ突出している部分）が凸となるように取付部９に複数個取り付けられる。
【００２０】
また、反発材２２の下端部付近が取付部９にネジ等によって固定されており、上端部はフリーの状態となっている。
この反発材２２の頂点部２２ａは、本実施形態では、通常時において目地プレート６の側面６ｃに当接するように設けられている。
【００２１】
本実施形態の床用目地装置５は、図３及び図４に示すように、一方の躯体３に設けられた目地プレート支持部１０と、他方の躯体４に設けられた第２の目地プレート支持部１１と、目地プレート支持部１０に一端部６ａが支持され、第２の目地プレート支持部１１に他端部６ｂが支持され、かつ、前記目地部を塞ぐ目地プレート６と、目地プレート支持部１０の側面１０ａに取り付けられたカバー部材１と、前記目地プレート６の他端部６ｂにヒンジ部材１２を介して設けられたカバープレート１３とで構成されている。
【００２２】
目地プレート６に取り付けられるカバー部材１は前述したものである。なお、このカバー部材１の前後方向の寸法は、本実施形態では目地部の前後方向の寸法と略同一に形成し、複数個の目地プレート６に対して１つのカバー部材１を取付けているが、目地プレート６の前後方向の寸法と略同一に形成して各目地プレート毎にカバー部材１を取付けてもよい。
【００２３】
目地プレート支持部１０は、例えば図４に示すように、一方の躯体３の目地部側の端部に前後方向に延在する凹所状に形成されており、この目地プレート支持部１０には、目地プレートを枢支するための枢支ピン１４が固定されている。
第２の目地プレート支持部１１は、例えば図４に示すように、他方の躯体４の目地部２側の床面上に形成されており、目地部２と反対側の端部には乗り上げ傾斜面１５が形成されている。
【００２４】
目地プレート６は、図５に示すように、浅皿状の目地プレート本体１６と、この目地プレート本体１６の一端部側の両端部に設けられ、目地プレート支持部１０に固定された枢支ピン１４が挿入されるピンボックス１７と、目地プレート本体１６の内部に充填されるモルタルやコンクリート等の充填部材１８と、この充填部材１８の上面に設けられた化粧板１９と、目地プレート本体１６の他端部側にヒンジ部材１２を介して設けられたカバープレート１３と、目地プレート本体１６の底面に形成された正面視三角形状の押し上げ片２０とで構成されている。
【００２５】
この目地プレート６の一端部６ａ側の側面は、上方へ向かうにしたがって隙間７が大きくなるような（目地部側に傾斜する）傾斜面２１が形成されている。このような傾斜面２１が形成されていることにより、地震によって目地部が狭くなり、目地プレート６の他端部６ｂが乗り上げ傾斜面１５に乗り上げた際に、一端部６ａの底面を支点にスムーズに目地プレート６が回動させることができる。
なお、この傾斜面２１には、前述したようにカバー部材１の反発材２２が当接している。
【００２６】
前記押し上げ片２０の高さは、目地プレート６の高さよりも低くなるように形成されており、このように目地プレート６の高さよりも押し上げ片２０の高さを低くすることにより、目地プレート６が押し上げ片２０によって上方へ押し上げられた際に、枢支ピン１４がピンボックス１７から外れてしまうことを防止することができる。
【００２７】
地震で躯体３、４が左右方向に揺れ動き目地部２が少し狭くなると、図６に示すように、目地プレート６の他端部６ｂが乗り上げ傾斜面１５に乗り上げ、目地プレート６の一端部６ａの底面を支点に目地プレート６が回動する。この時隙間閉塞部８の底面は、目地プレート６に略干渉することなく、その上部をスライドし、隙間閉塞部８の下部は板状の取付部９であるため、カバー部材１が目地プレート６の回動に干渉せず、スムーズに目地プレート６を回動させることができる。
【００２８】
また、反発材２２は上部がフリーの弓状の形状に形成されているため、目地プレート６の側面６ｃに押圧されると、略フラットの状態に押しつぶされ、緩衝材の役割も果たす。
地震で躯体３、４が左右方向に揺れ動き目地部２がさらに狭くなると、図７に示すように、目地プレート６の他端部６ｂが乗り上げ傾斜面１５に乗り上げるとともに、押し上げ片２０によって目地プレート６が略水平状態（若干一端部側へ傾斜する状態）で上方へ押し上げられ、地震による揺れ動きを吸収する。
【００２９】
地震で躯体３、４が左右方向に揺れ動き目地部２が広くなると、図８に示すように、目地プレート６は第２の目地プレート支持部１１を左右方向にスライド移動し、地震による揺れ動きを吸収することができる。
【００３０】
[発明を実施するための異なる形態]
次に、図９乃至図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図９乃至図１３に示す本発明を実施するための第２の形態において、前記本発明を実施するための第１の形態と主に異なる点は、前後方向に延在する反発材２２Ａを固定したカバー部材１Ａにするとともに、前記カバー部材１Ａを用い、一端部側に傾斜面２１を形成せず、押し上げ辺２０を有しない目地プレート６Ａを用いた床用目地装置５Ａにした点で、このようなカバー部材１Ａ及び床用目地装置５Ａにしても、前記本発明を実施するための第１の形態と同様の作用効果を得ることができる。
【産業上の利用可能性】
【００３１】
本発明は床用目地装置を製造する産業で利用される。
【符号の説明】
【００３２】
１、１Ａ：カバー部材、              ２：目地部、
３：一方の躯体、                    ４：他方の躯体、
５、５Ａ：床用目地装置、            ６、６Ａ：目地プレート、
７：隙間、                          ８：隙間閉塞部、
９、９Ａ：取付部、                  １０：目地プレート支持部、
１１：第２の目地プレート支持部、    １２：ヒンジ部材、
１３：カバープレート、              １４：枢支ピン、
１５：乗り上げ傾斜面、              １６：目地プレート本体、
１７：ピンボックス、                １８：充填部材、
１９：化粧板、                      ２０：押し上げ片、
２１：傾斜面、                      ２２、２２Ａ：反発材。
【図１】
2019070263.tif 000003
【図２】
2019070263.tif 000004
【図３】
2019070263.tif 000005
【図４】
2019070263.tif 000006
【図５】
2019070263.tif 000007
【図６】
2019070263.tif 000008
【図７】
2019070263.tif 000009
【図８】
2019070263.tif 000010
【図９】
2019070263.tif 000011
【図１０】
2019070263.tif 000012
【図１１】
2019070263.tif 000013
【図１２】
2019070263.tif 000014
【図１３】
2019070263.tif 000015
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
一方の躯体に形成された凹所状の目地プレート支持部に一端部が支持され、他方の躯体に他端部が支持され、一方と他方の躯体間の目地部を塞ぐ目地プレートに用いられるカバー部材であって、前記カバー部材は、その上端部に形成された前記目地プレートの一端部と一方の躯体の床面との隙間を塞ぐ隙間閉塞部と、この隙間閉塞部の下部に一体的に設けられ、一方の躯体の目地プレート支持部の壁面に取付けられる板状の取付部と、該取付部の目地プレート側に設けられた上部がフリーの弓状の反発材からなることを特徴とするカバー部材。
【請求項２】
一方の躯体と他方の躯体間の目地部を塞ぐ床用目地装置において、一方の躯体に形成された凹所状の目地プレート支持部と、他方の躯体に形成され、目地プレートをスライド移動可能に支持する第２の目地プレート支持部と、前記目地プレート支持部に一端部が支持され、前記第２の目地プレート支持部に他端部が支持され、かつ、前記目地部を塞ぐ前記目地プレートと、前記一方の躯体に取り付けられたカバー部材と、前記目地プレートの他端部にヒンジ部材を介して設けられたカバープレートとで構成され、前記カバー部材は、その上端部に形成された前記目地プレートの一端部と一方の躯体の床面との隙間を塞ぐ隙間閉塞部と、この隙間閉塞部の下部に一体的に設けられ、一方の躯体の目地プレート支持部の壁面に取付けられる板状の取付部と、該取付部の目地プレート側に設けられた上部がフリーの弓状の反発材からなることを特徴とする床用目地装置。
【請求項３】
前記目地プレートの一端部は、上方へ向かうにしたがって隙間が大きくなるように目地部側に傾斜する傾斜面が形成されていることを特徴とする請求項２に記載の床用目地装置。
【請求項４】
前記目地プレートの底面には、地震によって目地部が狭くなった際に、目地プレートを上方へ押し上げる押し上げ片を更に備え、前記押し上げ片の高さは目地プレートの高さよりも小さいことを特徴とする請求項２又は請求項３のいずれかに記載の床用目地装置。
【手続補正２】
【補正対象書類名】明細書
【補正対象項目名】全文
【補正方法】変更
【補正の内容】
【発明の詳細な説明】
【技術分野】
【０００１】
本発明は目地部を介して設けられた躯体の間の目地部を塞ぐ床用目地装置に用いられるカバー部材を用いた床用目地装置に関する。
【背景技術】
【０００２】
従来、目地プレートの後端部（一端部）と一方の躯体に形成された凹所状の後端部支持凹部との間に生じた隙間にスペーサーを設けた床用目地装置が知られている（特許文献１）。
【０００３】
しかしながら、このような床用目地装置では、目地プレートの一端部と一方の躯体の床面との間にスペーサーがあるため、隙間は塞ぐことができるものの、地震によって目地部が狭くなった場合には、スペーサーと目地プレートの一端部が衝突し、スペーサーや目地プレートが破損してしまうという欠点があった。
【先行技術文献】
【特許文献】
【０００４】
【特許文献１】特開２００６−１３２１０８号公報
【発明の概要】
【発明が解決しようとする課題】
【０００５】
本発明は以上のような従来の欠点に鑑み、目地プレートの一端部と一方の躯体の床面との間の隙間を塞ぐことができるとともに、地震によって目地部が狭くなった場合には、スムーズに地震による揺れ動きを吸収できるカバー部材及び床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明のカバー部材は、一方の躯体に形成された凹所状の目地プレート支持部に一端部が支持され、他方の躯体に他端部が支持され、一方と他方の躯体間の目地部を塞ぐ目地プレートに用いられるカバー部材であって、前記カバー部材は、その上端部に形成された前記目地プレートの一端部と一方の躯体の床面との隙間を塞ぐ隙間閉塞部と、この隙間閉塞部の下部に一体的に設けられ、一方の躯体の目地プレート支持部の壁面に取付けられる板状の取付部と、該取付部の目地プレート側に設けられた上部がフリーの弓状の反発材からなることを特徴とする。
【０００８】
また、本発明の床用目地装置は、  一方の躯体と他方の躯体間の目地部を塞ぐ床用目地装置において、一方の躯体に形成された凹所状の目地プレート支持部と、他方の躯体に形成され、目地プレートをスライド移動可能に支持する第２の目地プレート支持部と、前記目地プレート支持部に一端部が支持され、前記第２の目地プレート支持部に他端部が支持され、かつ、前記目地部を塞ぐ前記目地プレートと、前記一方の躯体に取り付けられたカバー部材と、前記目地プレートの他端部にヒンジ部材を介して設けられたカバープレートとで構成され、前記カバー部材は、その上端部に形成された前記目地プレートの一端部と一方の躯体の床面との隙間を塞ぐ隙間閉塞部と、この隙間閉塞部の下部に一体的に設けられ、一方の躯体の目地プレート支持部の壁面に取付けられる板状の取付部と、該取付部の目地プレート側に設けられた上部がフリーの弓状の反発材からなることを特徴とする。
【発明の効果】
【０００９】
以上の説明から明らかなように、本発明にあっては次に列挙する効果が得られる。
（１）請求項１及び請求項２に記載の各発明においては、正面視略アングル状に形成されており、その上端部には隙間閉塞部が形成されているので、地震によって目地部が狭くなった場合に、隙間閉塞部の底面が目地プレートの上面をスライドすることにより、カバー部材や目地プレート、一方の躯体が破損することなくスムーズに地震による揺れ動きを吸収することができる。
（２）カバー部材には反発材が設けられているので、目地プレートが回動した後、スムーズに通常状態に復帰することができるとともに、目地プレートの角部等がカバー部材に勢いよく衝突してしまうことを防止できる。
（３）目地プレートと一方の躯体の床面との隙間を塞ぐことができるので、この隙間にハイヒールのヒール等が挟まる、自転車等の車輪が脱輪する、物を隙間に落とす等の事故を確実に防止することができる。
（４）請求項３に記載の発明においても、前記（１）〜（３）と同様な効果が得られるとともに、地震によって目地部が狭くなった際に、よりスムーズに目地プレートを回転させることができる。
（５）請求項４に記載の各発明においても、前記（１）〜（４）と同様な効果が得られるとともに、地震によって目地部が狭くなった際に、略水平状態を保ったまま目地プレートを上方へ押し上げることができる。
【００１０】
したがって、目地プレートと他方の躯体の床面との段差を少なくすることができる。
【図面の簡単な説明】
【００１１】
図１乃至図８は本発明の第１の実施形態を示す説明図である。
図９乃至図１３は本発明の第２の実施形態を示す説明図である。
【図１】第１の実施形態を示すカバー部材の斜視図。
【図２】図１の２−２線に沿う断面図。
【図３】第１の実施形態を示す床用目地装置の平面図。
【図４】図３の４−４線に沿う断面図。
【図５】目地プレートの説明図。
【図６】地震で目地部が少し狭くなった場合の正面視側からの動作説明図。
【図７】地震で目地部が狭くなった場合の正面視側からの動作説明図。
【図８】地震で目地部が広くなった場合の正面視側からの動作説明図。
【図９】第２の実施形態を示すカバー部材の斜視図。
【図１０】図９の１０−１０線に沿う断面図。
【図１１】第２の実施形態を示す床用目地装置の平面図。
【図１２】図１１の１２−１２線に沿う断面図。
【図１３】目地プレートの説明図。
【発明を実施するための形態】
【００１２】
以下、図面に示す本発明を実施するための形態により、本発明を詳細に説明する。
図１乃至図８に示す本発明を実施するための第１の形態において、１は目地部２を介して設けられた一方の躯体３及び他方の躯体４間に設置された床用目地装置５に用いられる目地プレート６の一端部６ａと一方の躯体３の床面３ａとの間の隙間７を塞ぐカバー部材である。
【００１３】
なお、左右方向とは図３（平面視）における左右方向であり、前後方向とは図３における上下方向、上下方向とは図４における上下方向をいう。
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１４】
本実施形態のカバー部材１は、図１及び図２に示すように、正面視略アングルに形成されており、その上端部に設けられた、前記目地プレート６の一端部６ａと一方の躯体３の床面３ａとの隙間７を塞ぐ隙間閉塞部８と、この隙間閉塞部８の下部に一体的に設けられ、前記目地プレート６の一端部６ａに取付けられる板状の取付部９とで構成されている。
【００１５】
カバー部材１は、本実施形態では、例えば図２に示すように、隙間閉塞部８は金属板を折り曲げ加工して形成している。この隙間閉塞部８は、若干斜面状となるような形状に形成する又は目地プレート６の上面と若干隙間を有するように形成してもよい。そのように形成することで、地震によって目地プレートが回動した場合に目地プレート６に干渉せず揺れ動きを吸収することができる。
【００１６】
付言すると、目地プレート６の回動をカバー部材１に用いられる金属板の弾性変形で吸収できる場合には、傾斜や隙間等を設けなくてもよい。
また、この隙間閉塞部８の下方には、板状の取付部９が一体的に形成されている。すなわち、本実施形態ではカバー部材１は、一枚の金属板を折り曲げ加工して隙間閉塞部８及び取付部９を形成している。
【００１７】
ところで、カバー部材１の隙間閉塞部８及び取付部９は本実施形態のように一枚の金属板を折り曲げ加工してもよいが、板状の金属板等を溶接や接着等により略アングル状に形成してもよい。
【００１８】
この取付部９は、一方の躯体３に形成された凹所状の目地プレート支持部１０の側面１０ａと略ぴったりと当接した状態で取り付けられる。
【００１９】
また、取付部９の目地プレート６側（目地プレート支持部１０の側面１０ａと反対側）の側面には本実施形態では樹脂製の反発材２２が設けられている。この反発材２２は上部が弧状となった弓状の形状で、目地プレート６側へ弧状に湾曲している湾曲部の頂点部２２ａ（最も目地プレート側へ突出している部分）が凸となるように取付部９に複数個取り付けられる。
【００２０】
また、反発材２２の下端部付近が取付部９にネジ等によって固定されており、上端部はフリーの状態となっている。
この反発材２２の頂点部２２ａは、本実施形態では、通常時において目地プレート６の側面６ｃに当接するように設けられている。
【００２１】
本実施形態の床用目地装置５は、図３及び図４に示すように、一方の躯体３に設けられた目地プレート支持部１０と、他方の躯体４に設けられた第２の目地プレート支持部１１と、目地プレート支持部１０に一端部６ａが支持され、第２の目地プレート支持部１１に他端部６ｂが支持され、かつ、前記目地部を塞ぐ目地プレート６と、目地プレート支持部１０の側面１０ａに取り付けられたカバー部材１と、前記目地プレート６の他端部６ｂにヒンジ部材１２を介して設けられたカバープレート１３とで構成されている。
【００２２】
目地プレート６に取り付けられるカバー部材１は前述したものである。なお、このカバー部材１の前後方向の寸法は、本実施形態では目地部の前後方向の寸法と略同一に形成し、複数個の目地プレート６に対して１つのカバー部材１を取付けているが、目地プレート６の前後方向の寸法と略同一に形成して各目地プレート毎にカバー部材１を取付けてもよい。
【００２３】
目地プレート支持部１０は、例えば図４に示すように、一方の躯体３の目地部側の端部に前後方向に延在する凹所状に形成されており、この目地プレート支持部１０には、目地プレートを枢支するための枢支ピン１４が固定されている。
第２の目地プレート支持部１１は、例えば図４に示すように、他方の躯体４の目地部２側の床面上に形成されており、目地部２と反対側の端部には乗り上げ傾斜面１５が形成されている。
【００２４】
目地プレート６は、図５に示すように、浅皿状の目地プレート本体１６と、この目地プレート本体１６の一端部側の両端部に設けられ、目地プレート支持部１０に固定された枢支ピン１４が挿入されるピンボックス１７と、目地プレート本体１６の内部に充填されるモルタルやコンクリート等の充填部材１８と、この充填部材１８の上面に設けられた化粧板１９と、目地プレート本体１６の他端部側にヒンジ部材１２を介して設けられたカバープレート１３と、目地プレート本体１６の底面に形成された正面視三角形状の押し上げ片２０とで構成されている。
【００２５】
この目地プレート６の一端部６ａ側の側面は、上方へ向かうにしたがって隙間７が大きくなるような（目地部側に傾斜する）傾斜面２１が形成されている。このような傾斜面２１が形成されていることにより、地震によって目地部が狭くなり、目地プレート６の他端部６ｂが乗り上げ傾斜面１５に乗り上げた際に、一端部６ａの底面を支点にスムーズに目地プレート６が回動させることができる。
なお、この傾斜面２１には、前述したようにカバー部材１の反発材２２が当接している。
【００２６】
前記押し上げ片２０の高さは、目地プレート６の高さよりも低くなるように形成されており、このように目地プレート６の高さよりも押し上げ片２０の高さを低くすることにより、目地プレート６が押し上げ片２０によって上方へ押し上げられた際に、枢支ピン１４がピンボックス１７から外れてしまうことを防止することができる。
【００２７】
地震で躯体３、４が左右方向に揺れ動き目地部２が少し狭くなると、図６に示すように、目地プレート６の他端部６ｂが乗り上げ傾斜面１５に乗り上げ、目地プレート６の一端部６ａの底面を支点に目地プレート６が回動する。この時隙間閉塞部８の底面は、目地プレート６に略干渉することなく、その上部をスライドし、隙間閉塞部８の下部は板状の取付部９であるため、カバー部材１が目地プレート６の回動に干渉せず、スムーズに目地プレート６を回動させることができる。
【００２８】
また、反発材２２は上部がフリーの弓状の形状に形成されているため、目地プレート６の側面６ｃに押圧されると、略フラットの状態に押しつぶされ、緩衝材の役割も果たす。
地震で躯体３、４が左右方向に揺れ動き目地部２がさらに狭くなると、図７に示すように、目地プレート６の他端部６ｂが乗り上げ傾斜面１５に乗り上げるとともに、押し上げ片２０によって目地プレート６が略水平状態（若干一端部側へ傾斜する状態）で上方へ押し上げられ、地震による揺れ動きを吸収する。
【００２９】
地震で躯体３、４が左右方向に揺れ動き目地部２が広くなると、図８に示すように、目地プレート６は第２の目地プレート支持部１１を左右方向にスライド移動し、地震による揺れ動きを吸収することができる。
【００３０】
[発明を実施するための異なる形態]
次に、図９乃至図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図９乃至図１３に示す本発明を実施するための第２の形態において、前記本発明を実施するための第１の形態と主に異なる点は、前後方向に延在する反発材２２Ａを固定したカバー部材１Ａにするとともに、前記カバー部材１Ａを用い、一端部側に傾斜面２１を形成せず、押し上げ辺２０を有しない目地プレート６Ａを用いた床用目地装置５Ａにした点で、このようなカバー部材１Ａ及び床用目地装置５Ａにしても、前記本発明を実施するための第１の形態と同様の作用効果を得ることができる。
【産業上の利用可能性】
【００３１】
本発明は床用目地装置を製造する産業で利用される。
【符号の説明】
【００３２】
１、１Ａ：カバー部材、              ２：目地部、
３：一方の躯体、                    ４：他方の躯体、
５、５Ａ：床用目地装置、            ６、６Ａ：目地プレート、
７：隙間、                          ８：隙間閉塞部、
９、９Ａ：取付部、                  １０：目地プレート支持部、
１１：第２の目地プレート支持部、    １２：ヒンジ部材、
１３：カバープレート、              １４：枢支ピン、
１５：乗り上げ傾斜面、              １６：目地プレート本体、
１７：ピンボックス、                １８：充填部材、
１９：化粧板、                      ２０：押し上げ片、
２１：傾斜面、                      ２２、２２Ａ：反発材。